(57)【要約】【課題】  ランプとソケットを位置合わせするための他の部材を必要とせず、ランプの径が異なる場合でもランプとソケットを容易かつ確実に接続できる。【解決手段】  直管蛍光ランプ１を収めるシリンダ２の両端に、ソケット３を収めるホルダ４を配置したランプ保持ユニット５を備え、ランプ保持ユニット５の一端側からランプが装着される照明器具において、ランプ保持ユニット５は、少なくとも一方のホルダ４に開閉部７ａを有し、この開閉部７ａより両端にソケット３を装着したランプ１を着脱可能とし、かつランプ装着状態で両ソケット３とそれぞれ導通状態となる接続部９をホルダ側に設けた。これにより、ランプ１の径が異なる場合でもランプ１とソケット３を確実に接続できる。すなわち、シリンダ２に挿入する前にランプ１の両端にソケット３を装着しておくので、位置合わせのための部材やガイドが不要である。【選択図】  図１
2005268162.tif 000002
【特許請求の範囲】
【請求項１】
直管蛍光ランプを収めるシリンダの両端に、ソケットを収めるホルダを配置したランプ保持ユニットを備え、前記ランプ保持ユニットの一端側から前記ランプが装着される照明器具において、前記ランプ保持ユニットは、少なくとも一方の前記ホルダに開閉部を有し、この開閉部より前記ランプを両端にソケットを装着した状態で着脱可能とし、かつランプ装着状態で両ソケットとそれぞれ導通状態となる接続部を前記ホルダ側に設けたことを特徴とする照明器具。
【請求項２】
ソケットは、外径がホルダの内径と略同じ寸法の部分を有する請求項１記載の照明器具。
【発明の詳細な説明】
【技術分野】
【０００１】
この発明は、主に防爆用照明器具などのランプソケットについての照明器具に関するものである。
【背景技術】
【０００２】
従来、ソケット本体、及びランプを密閉したシリンダ内に収めて使用する防爆用照明器具では、各器具毎に適合のランプが決められており、それぞれのランプの太さに合わせた器具およびシリンダ設計がなされていた。しかし、シリンダを共用しようとする場合、シリンダの太さは、最も太いランプ径に合わせて設計されるため、最も細い径のランプを使用する場合は、ランプとシリンダとの間の隙間が大きくなってしまう。
【０００３】
すなわち、図７は従来の照明器具の問題点を示す要部断面図である。このようにシリンダ５１およびその両端のホルダ５２およびソケット５３等からなるランプ保持ユニットにおいて、ランプ５０は片方のソケットの背面側から挿入し、シリンダ５１内を通って、もう一方のソケット５３へ嵌合させなければならない。このランプ装着操作では、ランプ５０の一端のみを持って作業するためランプ５０の他端を浮かせたまま挿入する事は難しい（特にランプ長が長い場合）。その場合は、重力によってランプ５０はシリンダ５１との間に隙間があることで傾き、ランプ先端はシリンダ内面に当接しながら挿入される。
【０００４】
ソケット５３はシリンダ５１の中心に配置されているため、ランプ先端がシリンダ内面に当接した状態では、ランプ５０はソケット５３に嵌合できない。
【０００５】
そこで、ランプをシリンダ内中心を水平のまま挿入出来るように、ランプに装着し、シリンダ内面に弾接するようなリング部品を使用する方法を考案している（例えば特許文献１）。
【０００６】
また、片方のソケットを装着した状態でランプをランプ保持ユニットの一端から着脱する照明器具がある（例えば特許文献２）。この場合、ソケットとともにランプを取り出すためにランプ交換側のソケットはランプを十分保持しておかなければならない。また、もう一方の閉鎖側のソケットのランプ保持力がランプ交換側より大きいとランプが取り出せなくなるため、閉鎖側のソケットのランプピンとの接触はつきあわせ方式を用いるのが一般的である。
【０００７】
また、ランプは既に接続が完了した状態でシリンダに挿入される照明器具もある（例えば特許文献３）。この場合、ランプの両端にソケットを接続し、かつソケットどうしを導線で接続した状態でシリンダに挿入する。
【特許文献１】実開昭６３−８５８０７号公報
【特許文献２】特開平１１−５３９３０号公報
【特許文献３】登実登−３０６８７２６号公報
【発明の開示】
【発明が解決しようとする課題】
【０００８】
しかしながら、上記従来例の照明器具において、リング部品を使用する場合では、リング部品分のコストアップになるとともに、リング部品がランプの陰になり、配光及び見栄えが悪くなる。
【０００９】
また、つき合わせ方式では、ソケットの導電板とランプピン先端は点接触になるため導通が不安定になる可能性がある。また、ランプ交換は、ランプ保持ユニットの一端からランプの端を持って行うため、閉鎖側ではランプの自重によって、ソケット受金面の中心に持って行くことが難しい。そのため、ソケット受金面には、ランプピンを受金中心へガイドするテーパーが設けられているが、受金面は樹脂製のためランプピン先端が樹脂を削り、そのかすがランプピン先端に着き、導電板との接触を妨げ、不点、発熱発火の恐れもある。
【００１０】
また、ランプの接続を予め完了させる場合では、シリンダ内にソケットに接続された導線を挿入する作業に手間がかかる。また、シリンダ内に導線を配置するスペースが必要となるとともに、導線部分が陰になる等の問題がある。
【００１１】
したがって、この発明の目的は、ランプとソケットを位置合わせするための他の部材を必要とせず、ランプの径が異なる場合でもランプとソケットを容易かつ確実に接続でき、シリンダに陰が生じることがない照明器具を提供することである。
【課題を解決するための手段】
【００１２】
上記課題を解決するためにこの発明の請求項１記載の照明器具は、直管蛍光ランプを収めるシリンダの両端に、ソケットを収めるホルダを配置したランプ保持ユニットを備え、前記ランプ保持ユニットの一端側から前記ランプが装着される照明器具において、前記ランプ保持ユニットは、少なくとも一方の前記ホルダに開閉部を有し、この開閉部より前記ランプを両端にソケットを装着した状態で着脱可能とし、かつランプ装着状態で両ソケットとそれぞれ導通状態となる接続部を前記ホルダ側に設けた。
【００１３】
請求項２記載の照明器具は、請求項１記載の照明器具において、ソケットは、外径がホルダの内径と略同じ寸法の部分を有する。
【発明の効果】
【００１４】
この発明の請求項１記載の照明器具によれば、保持ユニットは、少なくとも一方のホルダに開閉部を有し、この開閉部よりランプを両端にソケットを装着した状態で着脱可能とし、かつランプ装着状態で両ソケットとそれぞれ導通状態となる接続部をホルダ側に設けたので、ランプの径が異なる場合でもランプとソケットを確実に接続できる。すなわち、シリンダに挿入する前にランプの両端にソケットを装着しておくので、位置合わせのための部材やガイドが不要である。これに伴いソケットは両方とも差し込み式にできるため接触が安定する。また、ソケットとともにランプを挿入するだけで、接続部とソケットが導通状態となるため、シリンダ内の配線が不要である。このため、照明器具の取り付け作業性が向上し、シリンダに陰も生じない。
【００１５】
請求項２では、ソケットは、外径がホルダの内径と略同じ寸法の部分を有するため、ソケットをランプ軸方向と直角方向に位置決めできる。
【発明を実施するための最良の形態】
【００１６】
この発明の第１の実施の形態を図１〜図３に基づいて説明する。図１は本発明の第１の実施形態の照明器具の分解斜視図、図２はそのランプ装着状態の断面図、図３は全体斜視図である。
【００１７】
図１および図２に示すように、直管蛍光ランプ１を収めるシリンダ２の両端に、ソケット３を収めるホルダ４を配置したランプ保持ユニット５を備え、ランプ保持ユニット５の一端側からランプ１が装着される構成である。
【００１８】
直管蛍光ランプ１は、ランプ口金に突設したランプピンがソケット３に接続される。シリンダ２はランプ１の径より大きく、ランプ１と略同じ長さに形成された筒状の透光性を有する部材で形成されている。ソケット３は、両方とも差し込み式であり、ランプ１のランプピンを接続する接続端子を内部に収めている（図示せず）。また、ソケット３の上面に接続端子と導通する一対の導電板６が取り付けてある。導電板６は、ランプ軸方向に長く、ソケット３の上面から突出する方向に湾曲した弾性片である。また、ソケット３は、外径がホルダ４の内径と略同じ寸法の部分を有する。この場合、ランプ口金を受けるソケット３の受金面部３ａを上面より突出させ、ホルダの内面に嵌合するように形成してある。また、ソケット３の受金面部３ａと反対側の面に突片３ｂを突設している。ホルダ４は、ソケット３の受金面部３ａの外径と略同じ寸法の内径を有する筒状である。また、ホルダ４の一方は開口し、他方にはホルダカバー７が取り付けてある。ホルダ４の開口にはシリンダ２の端部を嵌合する嵌合部４ａが形成してある。この場合、ホルダ４の内径とシリンダ２の内径は略同じである。また、ホルダ４の上面に開口した穴に接点ユニット８が装着してある。接点ユニット８のホルダ４の内面側には、ソケット３の導電板６に接触する一対の接続部９が設けてある。また、シリンダ２の両端のホルダ４のうち、一方のホルダ４のホルダカバー７ａは開閉部であり、他方のホルダ４のホルダカバー７ｂは閉鎖されている。閉鎖されたホルダカバー７ｂの内側面にソケット３を付勢するスプリング１０が設けてある。
【００１９】
また、図３に示すように、両ホルダ４は点灯回路を内蔵した器具本体１２に取り付けられ、器具本体１２は天井取付部１３により吊持されている。
【００２０】
次に上記照明器具の施工手順について説明する。図１に示すように、ランプ１の両端にソケット３を装着する。ランプピン接触は上記のように差し込み式であり、ランプピンをしっかり保持する。一方のホルダ４のホルダカバー７ａを開けて、このホルダ４から両端にソケット３を装着した状態のままのランプ１を挿入する。ランプ保持ユニット５の内面は、ホルダ４からシリンダ２にかけて凸部がないため、ソケット３は自由に動くことができる。ランプ装着状態で、ランプ１がシリンダ２に対応するように配置され、両ソケット３はそれぞれホルダ４内に収まっている。このとき、両ソケット３において、導電板６と接続部９が弾性により圧着し導通状態となる。この後、ホルダカバー７ａを閉めると、スプリング１０により他方のソケット３がランプ軸方向に押圧されて一方のソケット３の突片３ｂがホルダカバー７ａの内側面に当接して位置決めされる。なお、他方のソケット３の突片３ｂとホルダカバー７ｂとの間に隙間がない場合はスプリング１０は不要である。この場合は、他方のホルダ４側から同様にランプ１を挿入することができる。これにより、ランプを両側から交換できるため、器具の設置に影響を与えない。すなわち、ランプ交換側には、ランプを取り出すだけの空間が必要であり、片側からしか交換できない場合は壁に違い所では方向が制限される。
【００２１】
以上のようにこの実施形態によれば、ランプ１の径が異なる場合でもランプ１とソケット３を確実に接続できる。すなわち、シリンダ２に挿入する前にランプ１の両端にソケット３を装着しておくので、位置合わせのための部材やガイドが不要である。これに伴いソケット３は両方とも差し込み式にできるため接触が安定する。また、ソケット３とともにランプ１を挿入するだけで、接続部９とソケット３の導電板６が導通状態となるため、シリンダ２内の配線が不要である。このため、照明器具の取り付け作業性が向上し、シリンダ２に陰も生じない。なお、導電板６を固定し、接続部９を弾性を有する可動部材としてもよい。
【００２２】
この発明の第２の実施の形態を図４に基づいて説明する。図４は本発明の第２の実施形態の要部破断斜視図である。
【００２３】
図４に示すように、第１の実施形態と比較して、閉鎖側のホルダ１５およびこれに収められるソケット１６の構造が異なる。ホルダ１５にホルダカバーはなく完全に閉塞しており、スプリングもない。また、ホルダ１５の上面に開口した穴に装着される端子ユニットの代わりに一対の弾性接触片１７が配置されている。弾性接触片１７の先端はホルダ１５の端部の内側面に対向するように折曲形成されて接続部１７ａとなる。ソケット１６には導電板の代わりに接続端子に導通する一対の固定接点１８が受金面部１６ａと反対側の面に突設してあり、突片はない。固定接点１８と弾性接触片１７の接続部１７ａは、ランプ装着状態において接触して導通状態となるように配置されている。また、弾性接触片１７がスプリングの役割をなし、第１の実施形態と同様にランプ１を位置決めできる。その他の構成は、第１の実施の形態と同様である。
【００２４】
この発明の第３の実施の形態を図５に基づいて説明する。図５は本発明の第３の実施形態の要部破断斜視図である。
【００２５】
図５に示すように、第２の実施形態と同様にホルダ１５の上面に開口した穴に一対の弾性接触片１７が配置され、ソケット１６には固定接点１８が受金面部１６ａと反対側の面に突設してある。この場合、弾性接触片１７の先端はホルダ１５の端部の内側面に対向するように折曲形成され、かつ接続部となる挟持部１７ｂが形成されている。ランプ装着状態において、固定接点１８を弾性接触片１７の挟持部１７ｂにより挟み込んで導通状態となる。その他の構成は、第１および第２の実施の形態と同様である。
【００２６】
この発明の第４の実施の形態を図６に基づいて説明する。図６は本発明の第４の実施形態の要部破断斜視図である。
【００２７】
図６に示すように、第１の実施形態と比較して、閉鎖側のホルダ１５およびこれに収められるソケット２０の構造が異なる。ホルダ１５にホルダカバーはなく完全に閉塞しており、スプリングもない。また、ホルダ１５の上面に開口した穴に装着される端子ユニット８の一対の接続部９は上下に摺動する。ソケット２０は、ホルダ１５の内部の径方向に少しの遊びをもって挿入されるよう円柱状に形成されている。接続部９と対応するように一対の導電板２１がソケット２０の全周に配置されている。また、接続部９は上下に摺動して導電板２１に接触力を与える。
【００２８】
また、挿入側のホルダのホルダカバー以外の構成およびソケットを閉鎖側のホルダ１５およびソケット２０と同様の構成にしてもよい。この場合、挿入時のランプ軸周りの角度がどんな角度であっても導通するので、ランプの角度を気にしないでランプ交換ができ、操作性が良い。これにより、ランプピンがランプ軸に対して傾いている場合でもランプを確実に接続できる。その他の構成は、第１の実施の形態と同様である。
【図面の簡単な説明】
【００２９】
【図１】本発明の第１の実施形態の照明器具の分解斜視図である。
【図２】本発明の第１の実施形態のランプ装着状態の断面図である。
【図３】本発明の実施形態の照明器具の全体斜視図である。
【図４】本発明の第２の実施形態の要部破断斜視図である。
【図５】本発明の第３の実施形態の要部破断斜視図である。
【図６】本発明の第４の実施形態の要部破断斜視図である。
【図７】従来の照明器具の問題点を示す要部断面図である。
【符号の説明】
【００３０】
１  ランプ
２  シリンダ
３  ソケット
４  ホルダ
５  ランプ保持ユニット
９  接続部
【図１】
2005268162.tif 000003
【図２】
2005268162.tif 000004
【図３】
2005268162.tif 000005
【図４】
2005268162.tif 000006
【図５】
2005268162.tif 000007
【図６】
2005268162.tif 000008
【図７】
2005268162.tif 000009